(57)【特許請求の範囲】
【請求項１】
浴室内の空気を換気する換気ファンと、浴室内の空気を循環する循環ファンと、前記循環ファンにより生成される循環空気を加熱する加熱手段および前記換気ファンと前記循環ファンと前記加熱手段を組み合わせて作動させて浴室内を暖房もしくは乾燥する制御装置とを備えたバス換気乾燥装置において、加熱手段の輻射熱と、加熱手段で加熱されて吐出される空気の熱伝達を受けて温度を検知する第一の温度センサーと前記浴室内の温度を検知する第二の温度センサーとを設け、前記制御装置は前記第一の温度センサーと前記第二の温度センサーとの温度差の推移を監視し、前記温度差が規定値を超えた時に、前記循環ファンを駆動するモータの劣化により循環風量が低下していることと判断して、前記モータの回転数を制御して循環風量の低下を防止することを特徴とするバス換気乾燥装置。
【請求項２】
循環ファンを駆動するＤＣモータと、前記ＤＣモータの回転数を制御する回転数制御手段を備え、循環風量が低下していることを判断すれば、前記回転数制御手段により前記ＤＣモータの回転数を制御して、循環風量の低下を防止することを特徴とする請求項１記載のバス換気乾燥装置。
【請求項３】
制御装置は運転モードを設定する設定部を備え、前記運転モードに対応して駆動される加熱手段に対応させて温度差の規定値を設定することを特徴とする請求項１または２記載のバス換気乾燥装置。
【請求項４】
循環風量が低下していることと判断すれば、発光体により循環風量低下表示部に表示することを特徴とする請求項１、２または３のいずれかに記載のバス換気乾燥装置。
【請求項５】
循環風量が低下していることと判断すれば、警報部により警報することを特徴とする請求項１、２、３または４のいずれかに記載のバス換気乾燥装置。
【請求項６】
循環風量低下表示部あるいは警報部により、表示もしくは警報するかしないかを選択する選択手段を設け、循環風量が低下していることと判断しても、表示もしくは警報するかしないかを選択できることを特徴とする請求項４または５のいずれかに記載のバス換気乾燥装置。
【発明の詳細な説明】
【技術分野】
【０００１】
本発明は、浴室や、脱衣室、洗面所、あるいはトイレなどのいわゆるサニタリーゾーンを利用して洗濯物を乾燥するほか、暖房や換気などを行う電熱を利用したバス換気乾燥装置に関する。
【背景技術】
【０００２】
近年、一般家庭における浴室の設置が多くなるに伴い、冬期の入浴を快適にするために暖房機能を備えるとともに浴室を利用して洗濯物を乾燥させる乾燥機能を有した浴室換気乾燥装置が普及してきている。さらには、建築基準法が改正され新築住宅にあっては常時換気の機能を有する換気装置の設置が義務付けられ、室内換気の重要性が認知されつつあり、浴室換気乾燥装置の普及が拡大してきている。
【０００３】
従来、この種の装置は商用電源からの電力を利用する装置内に設置したニクロム線ヒータやハロゲンヒータなどの加熱手段を熱源とするものがあり、この加熱手段を利用して浴室内で洗濯物を乾燥する運転モードにおいては、比較的長時間運転して使用されることが多い。
【０００４】
その際、循環運転を長時間運転すれば、ファンを駆動するモータの劣化により換気や循環性能が悪化し、乾燥するまでの時間が長くなるたことによる消費電力が増加する面からも、循環性能が低下したことを判断して、モータの回転数を制御するにより定常的に循環性能の低下を防止することが求められている。
【０００５】
従来、この種の浴室換気装置は、循環ファンあるいは換気ファンの回転数を検出する検出手段とＤＣモータへの印加電圧を調整する調整手段を有し、予め設定された回転数と比較しながら印加電圧を調整し、排気ダクトの圧量損失に影響なく風量を一定にするものが知られている（例えば、特許文献１参照）。
【０００６】
以下、その浴室換気装置について図９を参照しながら説明する。
【０００７】
図に示すように、排気ダクト１０１と、換気ファン１０２を駆動するＤＣモータ１０３と、このＤＣモータ１０３にＤＣ電圧を印加するモータ駆動部１０４と、ＤＣモータ１０３の回転数を検出する回転数検出部１０５と、モータ駆動部１０４と回転数検出部１０５を制御する制御部１０６と、制御部１０６のプログラムでありＤＣモータ１０３の運転風量を支持する風量指示手段１０７と、風量指示手段１０７によって指示された風量で運転するためのＤＣモータ１０３への印加電圧における回転数を演算するモータ回転数演算手段１０８と回転数検出部１０５によって検出された運転回転数をモータ回転数演算手段１０８により求められたモータ回転数と同回転数になるようＤＣモータ１０３の印加電圧を制御する印加電圧制御手段１０９と、風量指示手段１０７によって指示された風量における予め決められた許容最大回転数を記憶する記憶手段１１０とを備えた浴室換気装置において、制御部１０６は風量指示手段１０７によって指示された風量で運転するための回転数になるように制御する風量一定モードと回転数検出部１０５の出力が所定の回転数になるように制御する回転数一定モードを有し、排気ダクトの圧量損失の変化に応じてＤＣモータ１０３の回転数を変化させ、指示された風量一定で運転するようにする制御に加えて、圧量損失の変化に関わらず所定の回転数で運転するようにする制御するものである。
【先行技術文献】
【特許文献】
【０００８】
【特許文献１】特開２００４−２３２９１８号公報
【発明の概要】
【発明が解決しようとする課題】
【０００９】
このような従来の浴室換気装置では、モータとは別体の回転数を検出する回転数検知部が必要となるため高価になることや、風量あるいは回転数を一定にするためのプログラムが複雑になるという課題があり、安価でかつ簡単な構成で循環風量が低下していることを判断して、定常的に循環風量の低下を防止することが要求されている。
【００１０】
本発明は、このような従来の課題を解決するものであり、加熱手段の近傍の温度を検知する第一の温度センサーと前記浴室内の温度を検知する第二の温度センサーとを設け、制御装置は前記第一の温度センサーと第二の温度センサーとの温度差の推移を監視し、前記温度差が規定値を超えた時に、循環風量が低下していることと判断して、循環風量の低下を防止するという安価でかつ簡単な構成にすることができるバス換気乾燥装置を提供することを目的としている。
【課題を解決するための手段】
【００１１】
本発明のバス換気乾燥装置は上記目的を達成するために、浴室内の空気を換気する換気ファンと、浴室内の空気を循環する循環ファンと、前記循環ファンにより生成される循環空気を加熱する加熱手段および前記換気ファンと前記循環ファンと前記加熱手段を組み合わせて作動させて浴室内を暖房もしくは乾燥する制御装置とを備えたバス換気乾燥装置において、加熱手段の輻射熱と、加熱手段で加熱されて吐出される空気の熱伝達を受けて温度を検知する第一の温度センサーと前記浴室内の温度を検知する第二の温度センサーとを設け、前記制御装置は前記第一の温度センサーと前記第二の温度センサーとの温度差の推移を監視し、前記温度差が規定値を超えた時に、前記循環ファンを駆動するモータの劣化により循環風量が低下していることと判断して、前記モータの回転数を制御して循環風量の低下を防止するものである。
【００１２】
これにより、制御装置は前記第一の温度センサーと前記第二の温度センサーとの温度差の推移を監視し、前記温度差が規定値を超えた時に、循環風量が低下していることと判断して、循環風量の低下を防止するバス換気乾燥装置が得られる。
【００１３】
また、循環ファンを駆動するＤＣモータと、制御装置は前記ＤＣモータの回転数を制御する回転数制御手段を備えた構成としたものである。
【００１４】
これにより、循環風量が低下していることを判断すれば、前記回転数制御手段により前記ＤＣモータの回転数を制御して、循環風量の低下を防止するバス換気乾燥装置が得られる。
【００１５】
また、制御装置は運転モードを設定する設定部を備え、前記運転モードに対応して駆動される加熱手段に対応させて温度差の規定値を設定する構成としたものである。
【００１６】
これにより、運転モードに対応して駆動される加熱手段に対応して温度差の規定値を設定するバス換気乾燥装置が得られる。
【００１７】
また、循環風量が低下していることを判断すれば、発光体により循環風量低下表示部に表示する構成としたものである。
【００１８】
これにより、循環風量が低下していることを判断すれば、発光体により循環風量低下表示部に表示することのできるバス換気乾燥装置が得られる。
【００１９】
また、循環風量が低下していることを判断すれば、警報音により警報部に報知する構成としたものである。
【００２０】
これにより、循環風量が低下していることを判断すれば、警報音により警報部に報知することのできるバス換気乾燥装置が得られる。
【００２１】
また、循環風量低下表示部あるいは警報部により、表示もしくは報知するかしないかを選択する選択手段を設ける構成としたものである。
【００２２】
これにより、循環風量が低下していることを判断しても、表示もしくは報知するかしないかを選択できるバス換気乾燥装置が得られる。
【発明の効果】
【００２３】
本発明によれば、浴室内の空気を換気する換気ファンと、浴室内の空気を循環する循環ファンと、前記循環ファンにより生成される循環空気を加熱する加熱手段および前記換気ファンと前記循環ファンと前記加熱手段を組み合わせて作動させて浴室内を暖房もしくは乾燥する制御装置とを備えたバス換気乾燥装置において、加熱手段の輻射熱と、加熱手段で加熱されて吐出される空気の熱伝達を受けて温度を検知する第一の温度センサーと前記浴室内の温度を検知する第二の温度センサーとを設け、前記制御装置は前記第一の温度センサーと前記第二の温度センサーとの温度差の推移を監視し、前記温度差が規定値を超えた時に、前記循環ファンを駆動するモータの劣化により循環風量が低下していることと判断して、前記モータの回転数を制御して循環風量の低下を防止するものであり、簡単な構成で、かつ安価にすることができるバス乾燥装置を提供できる。
【００２４】
また、循環ファンを駆動するＤＣモータと、制御装置は前記ＤＣモータの回転数を制御する回転数制御手段とを設け、循環風量が低下していることを判断すれば、前記回転数制御手段により前記ＤＣモータの回転数を制御して、循環風量の低下を防止するバス換気乾燥装置を提供できる。
【００２５】
また、制御装置は運転モードを設定する設定部を備え、前記運転モードに対応して駆動される加熱手段に対応させて温度差の規定値を設定するバス換気乾燥置を提供できる。
【００２６】
また、循環風量が低下していることを判断すれば、発光体により循環風量低下表示部に表示することのできるバス乾燥装置を提供できる。
【００２７】
また、循環風量が低下していることを判断すれば、警報音により警報部に報知することのできるバス乾燥装置を提供できる。
【００２８】
また、循環風量低下表示部あるいは警報部により、表示もしくは報知するかしないかを選択する選択手段を設け、循環風量が低下していることを判断しても、表示もしくは報知するかしないかを選択するバス乾燥装置を提供できる。
【図面の簡単な説明】
【００２９】
【図１】本発明の実施の形態１および２の全体構成を示す断面図
【図２】本発明の実施の形態１および２の電気系の構成を示すブロック図
【図３】同運転モードの例を示す図
【図４】同暖房モードでの温度推移を示す図
【図５】本発明の実施の形態１の循環風量が低下した時の動作原理を説明するための図
【図６】本発明の実施の形態１および２の電気系の構成を示すブロック図
【図７】本発明の実施の形態２の循環風量が低下した時の動作原理を説明するための図
【図８】本発明の実施の形態３のヒータなどの異常時の検知の動作原理を説明するための図
【図９】従来の浴室換気乾燥装置の構成図
【発明を実施するための形態】
【００３０】
本発明の請求項１記載の発明は、浴室内の空気を換気する換気ファンと、浴室内の空気を循環する循環ファンと、前記循環ファンにより生成される循環空気を加熱する加熱手段および前記換気ファンと前記循環ファンと前記加熱手段を組み合わせて作動させて浴室内を暖房もしくは乾燥する制御装置とを備えたバス換気乾燥装置において、加熱手段の輻射熱と、加熱手段で加熱されて吐出される空気の熱伝達を受けて温度を検知する第一の温度センサーと前記浴室内の温度を検知する第二の温度センサーとを設け、前記制御装置は前記第一の温度センサーと前記第二の温度センサーとの温度差の推移を監視し、前記温度差が規定値を超えた時に、前記循環ファンを駆動するモータの劣化により循環風量が低下していることと判断して、前記モータの回転数を制御して循環風量の低下を防止するという作用を有する。
【００３１】
また、循環ファンを駆動するＤＣモータと、制御装置は前記ＤＣモータの回転数を制御する回転数制御手段を備える構成にしたものであり、循環風量が低下していることを判断すれば、前記回転数制御手段により前記ＤＣモータの回転数を制御して、循環風量の低下を防止するという作用を有する。
【００３２】
また、制御装置は運転モードを設定する設定部を備え、前記運転モードに対応して駆動される加熱手段に対応させて温度差の規定値を設定するという作用を有する。
【００３３】
また、循環風量が低下していることを判断れば、発光体により循環風量低下表示部に表示するという作用を有する。
【００３４】
また、循環風量が低下していることを判断すれば、警報音により警報するという作用を有する。
【００３５】
また、循環風量低下表示部あるいは警報部により、表示もしくは警報するかしないかを選択する選択手段を設けるものであり、循環風量が低下していることを判断しても、表示もしくは警報するかしないかを選択できるという作用を有する。
【００３６】
以下、本発明の実施の形態について図面を参照しながら説明する。
【００３７】
（実施の形態１）
本発明の実施の形態１を図１と図２を用いて説明する。図１はバス換気乾燥装置の全体構成を示す断面図である。図１において、天井１に取り付けられるケーシング２に隔壁３を設け、この隔壁３の下部に循環用ＤＣモータ４と、この循環用ＤＣモータ４の回転数を増減して循環風量を制御する回転転制御手段１０により駆動される循環ファン５と加熱手段としてのヒータＡ６、ヒータＢ７、反射板８を備えている。グリル９は吸気口９ａと吐出口９ｂを有しケーシング２に固定される。循環風路１１は暖房運転もしくは乾燥運転時に循環ファン５が駆動された時、室内の空気が下方の吸気口９ａから、循環ファン５、ヒータＡ６、ヒータＢ７を経て吐出口９ｂから吹き出される室内空気の循環風路を示す。
【００３８】
一方、隔壁３の上部には換気用モータ１２で駆動される換気ファン１３と排気口１４を備えている。排気風路１５は暖房運転もしくは乾燥運転もしくは換気運転時に換気ファン１３が駆動された時の室内空気が吸気口９ａから吸入しダクト（図せず）を通じて屋外に排出される風路を示す。
【００３９】
以上のバス換気乾燥装置において、制御装置１６の主体部が図示のような隔離された場所に、室内温度を検知する室内温度センサー１７が循環ファン５の上流に設けられ、ヒータ温度センサー１８がヒータの近傍に、即ちここで示す近傍とは、循環ファン５が駆動される状況ではヒータ温度センサー１８は前記ヒータで加熱されて吐出される空気の温度を検知できれば良く、ヒータ温度センサー１８が吐出口９ｂとヒータＡ６、ヒータＢ７の間に設けられている。
【００４０】
図２は本発明の実施の形態１におけるバス換気乾燥装置の電気系の構成を示すブロック図である。
【００４１】
制御装置１６はＣＰＵ（マイコンを用いた中央処理装置）１９に入力として前述の室内温度センサー１７とヒータ温度センサー１８と暖房、乾燥などの運転モードを使用者が手動で設定するための運転モード設定部２０が接続され、出力としてヒータＡ６、ヒータＢ７、換気ファン１３のそれぞれ駆動するための継電器２１、２２、２３および循環用ＤＣモータ４の回転数を制御する回転数制御手段１０が接続され、この回転数制御手段１０はＣＰＵ１９のから出力される信号により、循環用ＤＣモータ４へ印加電圧を調整する回路からなる。さらに液晶表示器などの循環風量低下表示部２５とスピーカなどの警報部２６とが接続される。またさらに、循環風量が低下したことを判断しても、循環風量低下表示部２５に表示するかしないかを選択する表示選択部が接続された構成である。ここで図の点線囲いで示す運転モード設定部２０と循環風量低下表示部２５、故障表示部２４および警報部２６は、リモコン装置２７としてバス換気乾燥装置とは別体に浴室の壁面などに取り付けて使用される。
【００４２】
また図示しないが、継電器２１、２２、２３の負荷接点は漏電遮断器を介して商用電源に接続されている。
【００４３】
次に図３と図４を用いて運転モードの説明と乾燥運転モードを例とした運転中の温度の推移傾向について説明する。
【００４４】
図３は運転モードの例を示す図である。
【００４５】
乾燥運転モード２０ａは衣類などの乾燥を行うための運転モードであり、暖房運転モード２０ｂは冬期の浴室を暖房するための運転モードである。
【００４６】
それぞれの運転モードに対して丸印を記した前述の構成要素が駆動されることを表している。
【００４７】
例えば、乾燥運転モード２０ａではヒータＡ６とヒータＢ７と循環ファン５が駆動されることを表している。
【００４８】
図４は図３の乾燥運転モード２０ａで運転している場合の温度の時間推移を示す図である。
【００４９】
図４（ａ）はヒータ温度センサー１８が検知する温度の時間推移１８ａと室内温度センサー１７が検知する温度の時間推移１７ａを示している。
【００５０】
また、循環性能が低下している状態のヒータ温度センサー１８が検知する温度の時間推移１８ｂを示している。
【００５１】
図４（ｂ）はヒータＡ６とヒータＢ７の通電の状況を示す図である。
【００５２】
循環用ＤＣモータ４の軸受部（図示はしない）の経時変化による劣化により、循環用ＤＣモータ４への印加電圧が変化しなくとも回転数が減少し、その結果、ヒータＡ６、ヒータＢ７部を通過する循環空気の速度が低下することで、ヒータＡ６、ヒータＢ７により暖められる時間が長くなり、ヒータ温度センサー１８の温度が上昇する。
【００５３】
時刻ｔ１において、室内温度センサー１７の温度で制御装置１６はヒータＡ６をＯＦＦし、同様に時刻ｔ２でヒータＡ６をＯＮする。時刻ｔ３以降も同様にヒータＡ６はＯＮ、ＯＦＦを繰り返して室内温度が一定になるように制御装置１６がヒータＡ６を制御する。
【００５４】
次に図５を用いて循環風量が低下したことを判断する原理の説明と循環風量が低下した場合の制御装置１６の動作について説明する。
【００５５】
図５は循環風量が低下したことを判断する原理を説明するための図である。
【００５６】
図５（ａ）は図４（ａ）の循環風量が低下していない時のヒータ温度センサー１８が検知する温度の時間推移１８ａと循環風量が低下した時のヒータ温度センサー１８が検知する温度の時間推移１８ｂと室内温度センサー１７が検知する温度１７ａの差を表したもので、曲線１８ｃ、１８ｄで示している。
【００５７】
曲線１８ｄは図３の暖房運転モード２０ｂで運転した時の同様の温度差を示すもので、ヒータＡ６のみで運転するため曲線１８ｃに比べ温度差が低いことを示している。
【００５８】
図５（ｂ）は循環風量が低下した場合のヒータ温度センサー１８と室内温度センサー１７が検知する温度の時間推移を示し、図５（ｃ）はこの時における両センサーの温度差の時間推移を表す図である。
【００５９】
まず図５（ｂ）において、循環風量が低下した時の任意の時刻ｔ４において、室内温度センサー１７が検知する温度（以下単に室内温度センサー１７の温度と記載、ヒータ温度センサー１８についても同様）１７ｂは示すようにほぼ平坦な推移であり、またヒータ温度センサー１８の温度は、ヒータＡ６およびヒータＢ７の輻射熱と、熱伝達を受けて１８ｆで示すように循環風量が低下していない時１８ｅに比べてより高い温度で推移する。
【００６０】
それぞれの温度差の推移は、図５（ｃ）の１８ｅ、１８ｆである。
【００６１】
図５（ｃ）において、Ｓ１は閾値（規定値）を示す線で前述の両者の温度差１８ｆがこの閾値Ｓ１を超える点（時刻）Ｐ１において循環風量が低下したことを検知できる。
この検知方式では運転中の任意の時刻で循環風量の低下を検知できる。
【００６２】
ここで、閾値Ｓ１は当然のことながら循環風量が低下していない時における前述の温度差推移１８ａ（図５（ａ）の再掲）より上位に設定される。
【００６３】
図の１８ｃは図５（ａ）の１８ｃを再掲したものであり、循環風量が低下していない時の温度差の推移を示すもので、この運転モードでは閾値Ｓ２を用いて循環風量の低下検知を行う。
【００６４】
前述と同様の時刻ｔ４での循環風量が低下した場合の状況が図の１８ｇである。
【００６５】
１８ｇが閾値Ｓ２を超過する点（時刻）Ｐ２において循環風量の低下を検知できる。
【００６６】
この閾値Ｓ１、Ｓ２は運転モード設定部２０が設定するバス換気乾燥装置の運転モードに対応して自動的に制御装置１６のＣＰＵ１９がその内部において設定する。
【００６７】
例えば乾燥運転モード２０ａにおける閾値Ｓ１、即ちヒータ温度センサー１８と室内温度センサー１７の温度差の規定値を６０℃と設定する。これは消防法における最大吹出し温度９５℃以下の規定値に対して、室内温度が３５℃の時を示したものであり、可能な限り暖房性能を向上するには吹出し温度を上げることが有効であるためである。同様に暖房運転モード２０ｂにおける閾値Ｓ２についてはヒータＡ６がＯＦＦであるため上述よりも温度差の規定値を低く設定し４５℃とする。
【００６８】
以上説明した循環風量の低下したことを判断する動作について再度時系列的に述べると、まず、循環ファン５の駆動される運転モードにおいては温度差の閾値（規定値）が、運転モード設定部２０の設定により自動的に設定される。運転開始以後常時、ヒータ温度センサー１８と室内温度センサー１７の温度差が演算され前記閾値と対照される。以上の過程において循環風量の低下が徐々に進行してくると温度差の値が上昇し、閾値を超えた時点で循環風量が低下していることと判断され、回転数制御手段１０は制御装置からの出力信号を受けて、循環用ＤＣモータ４への印加電圧を増加させ、回転数をアップすることで循環風量を増加させる。即ち、定常的に循環風量が低下するのを防止する。
【００６９】
次に前述の循環風量が低下していることを判断した時に、循環風量の低下を防止する制御装置１６の動作について説明する。
【００７０】
図５（ｃ）のＰ１において、制御装置１６は循環風量が低下していることを判断すると、ＣＰＵ１９から回転数制御手段１０に出力信号を与えることにより、循環用ＤＣモータ４の駆動回路への印加電圧を増加し回転数を増加させ、如いては循環風量を増加する制御を行う。即ち、循環風量を増加することで循環空気の滞留がしなくなり、１８ｆ’に示すようにヒータ温度センサー１８と室内温度センサー１７の温度差が減少する傾向となる。そして、Ｐ１の閾値よりも低くなるまで繰り返すことで、定常的に循環風量が低下するのを防止できることとなる。また、暖房運転時におけるＳ２の時点においても同様に説明できる。そしてさらに、警報部２６で警報を吹鳴して循環風量低下表示部２５で循環風量が低下していることを告知することで、使用者に対して循環用ＤＣモータ４の劣化が進行していることを知らしめる。また、表示選択部２４、例えばスイッチを押下すると、循環風量が低下していることを判断しても、循環風量低下表示部２５に表示しないこととなり、循環風量が低下したことを循環風量低下表示部２５に表示するかしないかを選択することとなる。
【００７１】
以上のように循環風量が低下した時の検知の動作と循環風量が低下してもこれを防止する時の制御装置１６の動作はＣＰＵ１９の内部のマイコンとＲＯＭおよびＲＡＭが共働するプログラムの形態で実施される。このことは次に述べる循環風量が低下したことを判断する動作、さらには循環風量が低下するのを防止する説明についても同様である。
【００７２】
（実施の形態２）
本発明の実施の形態２を図６および図７を用いて説明する。実施の形態１と同一部分は同一符号とし説明を省略する。実施の形態１と同様に乾燥運転モード２０ａを例として実施の形態２の各種の循環風量が低下したことを判断する動作について説明する。
【００７３】
まず、図６に示すようにヒータ（加熱手段）あるいは循環用ＤＣモータ４が異常であること判断した時に、異常であることを故障表示部２８に表示する構成する。
【００７４】
図７を用いて循環風量が低下したことを判断する動作の説明と制御装置１６の動作について説明する。
【００７５】
図７は循環風量が低下した時の動作原理を説明するための図である。
【００７６】
図７（ａ）はヒータ温度センサー１８が検知するヒータＡ６、ヒータＢ７近傍の温度の時間推移を示す図で、図の点線示の１８ａは図４（ａ）中の曲線１８ａの再掲図である。
【００７７】
図で４ｈはヒータＡ６およびヒータＢ７が共に通電された状態における任意の時刻ｔ６において、循環風量の低下が急激に発生した場合のヒータ温度センサー１８が検知するヒータ近傍の温度推移を示し、４ｉはヒータＡ６がＯＦＦの状態おける任意の時刻ｔ７において、同じく循環風量の低下が急激に発生した場合のヒータ近傍の温度推移を示している。
【００７８】
この２つの現象は実際には別個の機会に発生するが説明の便宜上、同一図上に記載している。
【００７９】
時刻ｔ７は時刻ｔ１−ｔ２間にあり、前述のようにこの期間はヒータＡ６がＯＦＦしており、ヒータＢ７のみＯＮの状態なので、４ｉの上昇勾配は４ｈに比べて緩やかである。
【００８０】
図７（ｂ）は前述と同様にＣＰＵ１９において図７（ａ）の温度推移を温度推移の時間変化すなわち温度勾配として処理した結果を示す図である。
【００８１】
図で点線示の１８ｄが図７（ａ）の１８ａの温度勾配を示しており、この温度勾配は運転初期において高く時間経過とともに減少し時刻ｔ１（ヒータＡ６がＯＦＦ）おいて負に変化し時刻ｔ２（ヒータＡ６がＯＮ）において再び正に変化する。
【００８２】
実線示の１８ｊは４ｈに対応しており、同じく実線示の１８ｋは４ｉに対応している。
【００８３】
この図でＳ３とＳ４は温度勾配の閾値（規定値）で、Ｓ３はヒータＡ６がＯＮしている場合の閾値、Ｓ４はヒータＡ６がＯＦＦしている場合の閾値であり、ヒータのＯＮ、ＯＦＦを管理しているＣＰＵ１９がその内部においてＳ３とＳ４を自動的に切り替える。
【００８４】
例えば、乾燥運転モード２０ａにおける閾値Ｓ３、即ちヒータ温度センサー１８の時間推移における温度勾配の規定値を１℃／秒と設定する。これは循環用ＤＣモータ４の軸受部が劣化して、急激に回転数が減少してもヒータ温度センサー１８の検出値が変化するまでに時間を要するためである。同様に暖房運転モード２０ｂにおける閾値Ｓ２についてはヒータＡ６がＯＦＦであるため上述よりも温度勾配の規定値を低く設定し０．５℃／秒とする。
【００８５】
さらにこの実施の形態ではヒータのＯＮ、ＯＦＦで２段階であるがヒータの制御が無段階に行われる場合にはヒータ（加熱手段）の加熱量の制御値に応じて温度勾配の閾値（規定値）を例えば０．１℃／秒間隔で設定すればよい。
【００８６】
上述のとおり運転モードが異なっても、ヒータの加熱量の違いによる温度勾配の閾値をそれぞれ設定することで、急激な循環風量の低下が生じたとしても検知できることとなる。
【００８７】
循環風量の低下が急激に発生した時の温度勾配１８ｊと閾値曲線Ｓ３との交点Ｐ３および温度勾配１８ｋと閾値曲線Ｓ４との交点Ｐ４とがそれぞれ循環風量が低下した検知点（時刻）である。
【００８８】
ここで閾値曲線Ｓ３、Ｓ４が曲線で右肩下がりになっているのは平常運転時の温度勾配１８ｄが右肩下がりであるので、閾値が一定値の固定であると検知の誤動作の恐れがある。そこで室内温度を監視しているＣＰＵ１９が室内温度により閾値を変化させて前記の誤動作を避けている。
【００８９】
また、図示しないが閾値Ｓ３とＳ４は実施の形態１で説明したように運転モードにより自動的に設定される。
【００９０】
以上説明した循環風量の低下が急激に発生した時の検知の動作について再度時系列的に述べると、「まず、循環ファン５の駆動される運転モードにおいては温度勾配の閾値（規定値）が、運転モード設定部２０の設定により自動的に設定される。運転開始以後常時、ヒータ温度センサー１８の温度勾配が計測、演算され閾値と対照される。室内温度センサー１７の温度が上昇するとこれに応じて閾値は修正され、かつ、ヒータのＯＦＦ動作あるいはＯＮ動作でも閾値は変更される。
【００９１】
以上の過程において循環風量の低下が急激に発生すると温度勾配の値が上昇し、閾値を超えた時点で循環風量が低下したと判断される。
【００９２】
このような動作は実施の形態１での説明と同様に制御装置１６のＣＰＵ１９の内部のマイコンとＲＯＭおよびＲＡＭが共働するプログラムの形態で実施される。次に述べる循環風量が低下したことを検知した後の動作についても同様である。
【００９３】
循環風量の低下が検知されると、制御装置１６はＣＰＵ１９から回転数制御手段１０に出力信号を与えることにより、循環用ＤＣモータ４の駆動回路への印加電圧を増加することで回転数を増加させ、如いては循環風量を増加する制御を行い、警報部２６、例えばブザーにより警報を吹鳴して循環風量低下表示部２５、例えばＬＥＤや液晶を用いて循環風量が低下している状態であることを使用者に対して告知する。
【００９４】
（実施の形態３）
本発明の実施の形態３を図８を用いて説明する。実施の形態１と同一部分は同一符号とし説明を省略する。実施の形態１と同様に乾燥運転モード２０ａを例として実施の形態３のヒータ（加熱手段）あるいは循環用ＤＣモータ４が異常であることを判断する動作について説明する。
【００９５】
まず、図８を用いてヒータ（加熱手段）あるいは循環用ＤＣモータ４が異常であることを判断する説明とヒータ（加熱手段）あるいは循環用ＤＣモータ４が異常であることを循環風量の低下ではないことを判断した場合の制御装置１６の動作について説明する。
【００９６】
図８はヒータ（加熱手段）あるいは循環用ＤＣモータ４が異常であることを判断する動作原理を説明するための図である。
【００９７】
図はヒータ温度センサー１８が検知するヒータＡ６、ヒータＢ７近傍の温度の時間推移を示す図で、図の点線示の１８ａは図４（ａ）中の曲線１８ａの再掲図である。
【００９８】
図で１８ｌは任意の時刻ｔ４において循環風量の低下ではなく、例えば循環用ＤＣモータ４のロック状態やヒータ（加熱手段）などの異常発熱などが発生した場合のヒータ温度センサー１８が検知するヒータ近傍の温度推移を示す。
【００９９】
この図でＳ５は閾値（規定値）であり、例えば消防法における最大吹出し温度９５℃以下の規定値に設定するもので、循環用ＤＣモータ４のロックやヒータ（加熱手段）などの加熱手段の異常発熱などが発生した場合の時間推移と閾値曲線Ｓ５との交点Ｐ５がヒータ（加熱手段）の異常発熱などが発生した場合の検知点（時刻）である。
【０１００】
このような動作は実施の形態１での説明と同様に制御装置１６のＣＰＵ１９の内部のマイコンとＲＯＭおよびＲＡＭが共働するプログラムの形態で実施される。次に述べる循環用ＤＣモータ４のロック状態やヒータなどの異常発熱などが発生したことを判断した後の動作についても同様である。
【０１０１】
ヒータ（加熱手段）の異常発熱などが発生した場合を判断すると、制御装置１６はＣＰＵ１９から継電器２１、２２、２３へ出力信号を与えることにより、すべての継電器２１、２２、２３をすべてＯＦＦにしてバス換気乾燥装置の運転を停止し、警報部２６（例えば、ブザー）により警報して使用者に知らせ、図示はしないが故障表示部２８（例えば、ＬＥＤや液晶）を用い循環用ＤＣモータ４のロック状態やヒータ（加熱手段）などが異常であることを告知する。
【産業上の利用可能性】
【０１０２】
本発明のバス換気乾燥装置は、運転中に循環風量が低下したことを判断して、循環風量が減少したことによる洗濯物の乾燥時間の長時間化を防止したものであり、家庭用の用途にとどまらずホテルや旅館などの業務用の建物や公民館や集会所など公共の施設の用途にも適用できる。
【符号の説明】
【０１０３】
１      天井
２      ケーシング
３      隔壁
４      循環用ＤＣモータ
５      循環ファン
６      ヒータＡ
７      ヒータＢ
８      反射板
９      グリル
９ａ    吸気口
９ｂ    吐出口
１０    回転数制御手段
１１    循環風路
１２    換気用モータ
１３    換気ファン
１４    排気口
１５    排気風路
１６    制御装置
１７    室内温度センサー
１８    ヒータ温度センサー
１９    ＣＰＵ
２０    運転モード設定部
２０ａ  乾燥運転モード
２０ｂ  暖房運転モード
２１    継電器
２２    継電器
２３    継電器
２４    表示選択部
２５    循環風量低下表示部
２６    警報部
２７    リモコン装置
２８    故障表示部
【図１】
0004725324.tif 000002
【図２】
0004725324.tif 000003
【図３】
0004725324.tif 000004
【図４】
0004725324.tif 000005
【図５】
0004725324.tif 000006
【図６】
0004725324.tif 000007
【図７】
0004725324.tif 000008
【図８】
0004725324.tif 000009
【図９】
0004725324.tif 000010